(57)【要約】【課題】製造委託コストを低減する製造委託システムを提供する。【解決手段】製品製造を委託希望者に対して、ネットワークを介して製品製造の受託希望者を紹介する製造委託システムに、委託希望者から委託する製品の部品構成を記す製品仕様と製品の製造方法を記す製造仕様を受信する手段と、両方の仕様を満たす製品の見積依頼をその両仕様とともに受託希望者の連絡先に通知する手段と、を備えさせる。【選択図】　図１
2004038818.tif 000002
【特許請求の範囲】
【請求項１】
製品製造の委託希望者に対して、ネットワークを介して製品製造の受託希望者を紹介する製造委託システムであって、
委託希望者から、委託する製品の部品構成を記す製品仕様と製品の製造方法を記す製造仕様を受信する手段と、
両方の仕様を満たす製品の見積依頼を、その両仕様とともに受託希望者の連絡先に通知する手段と、
を有することを特徴とする製造委託システム。
【請求項２】
請求項１において、
製造仕様には、作業順番、作業内容及び標準作業時間とが含まれることを特徴とする製造委託システム。
【請求項３】
請求項２において、
前記製造仕様には、作業の動画、使用する部品名及び治具名が含まれることを特徴とする製造委託システム。
【請求項４】
請求項２または請求項３において、
作業者の人数を変動させたことによる製造時間、作業難易度、費用の影響シミュレーション実施し、結果を受託希望者に送信する手段を有することを特徴とする製造委託システム。
【発明の詳細な説明】
【０００１】
【発明の属する技術分野】
製造委託希望者と製造受託希望者の仲介を行う製造委託システムに関するものである。
【０００２】
【従来の技術】
製品製造を委託仲介する従来の技術としては、例えば、特開２００２−３２４９８号公報に記載の技術が知られている。
【０００３】
この技術は、製品の製造を委託されたい仮想工場が、広告情報と仕事の混み具合をサーバに登録することで宣伝することができる。また、製造委託したい顧客は、発注したい内容を注文として登録することができる。この結果、製造委託したい顧客と、仮想工場の引き合わせが可能となる。
【０００４】
【発明が解決しようとする課題】
しかしながら、特開２００２−３２４９８号公報の発明では、顧客の発注したい内容が曖昧なために、受託希望者はそのリスクを回避するための想定リスク回避費用を受託する価格に上乗せすることになり、結果的に委託（受託）費用が高くなる。
【０００５】
本発明は、委託（受託）コストを低減することができる製造委託システムを提供することにある。
【０００６】
【課題を解決するための手段】
上記課題を解決することができる手段として次のものがある。
【０００７】
製品製造の委託希望者に対して、ネットワークを介して製品製造の受託希望者を紹介する製造委託システムに、委託希望者から委託する製品の部品構成を記す製品仕様と製品の製造方法を記す製造仕様を受信する手段と、両方の仕様を満たす製品の見積依頼をその両仕様とともに受託希望者の連絡先に通知する手段とを備えさせる。
【０００８】
【発明の実施の形態】
以下、本発明に係わる製造委託システムの一実施形態について説明する。
図１に、本実施形態に係わる製造委託システムの１実施例の全体構成を示す。
【０００９】
図示のように製造委託システムは、製品製造を委託したい顧客が委託手続きを行うコンピュータ３（以下、ファブレスと略す）と、製品製造を請け負いたい仮想工場が委託手続きを行うコンピュータ４（以下、ファブと略す）と、ファブレス３もしくはファブ４が委託手続きで決定した結果をネットワーク２と通して収集管理し相手に通知する製造委託システムのサーバ１からなる。ここで、製造委託システムのサーバ１は、ファブレス３とファブ４の連絡先を登録する会員登録手段１１と、ファブレス３が製造委託する製品の部品構成を記す製品仕様と製造方法を記す製造仕様とを登録する仕様登録手段１２と、ファブレスが３仕様登録手段１２で登録した製品の製造委託費用の見積依頼の手続きを受付けた後ファブ４に通知する見積依頼登録手段１３を有している。また、製造委託システムのサーバ１は、製造仕様とファブ４の作業者数に基づき、各作業者の作業内容を平準化し、その結果をファブ４に対して提示する製造方法出力手段１４と、ファブ４の見積結果をファブレス３に通知する見積回答手段１５と、見積結果を元に製造委託先のファブ４を登録する契約登録手段１６と、製造委託契約後の製品出荷状況、検収状況、入金状況の進捗状況や、委託契約におけるクレームなどを登録する進捗状況登録手段１７と、ファブレス３とファブ４の会員情報や取引情報を記憶するデータベース１８で構成される。
【００１０】
図２は、製造委託システムの実施形態におけるハードウェア構成を図示したものである。ハードウェア構成としては、製造委託システムのサーバ１の機能が搭載された電子計算機１０、ファブレス３が製造委託手続きを行う電子計算機３０、ファブ４が製造委託手続きを行う電子計算機４０からなる。電子計算機３０、電子計算機４０は、ネットワーク２を介して電子計算機１０内に搭載された機能を遠隔操作することができる。具体的には、図１に示した会員登録手段１１、仕様登録手段１２、見積依頼登録手段１３、製造方法出力手段１４、見積回答手段１５、登録する契約登録手段１６、進捗状況登録手段１７の各機能を遠隔操作することができる。また、電子計算機１０は、遠隔操作によって実行された結果をネットワーク２を介して電子計算機３０、電子計算機４０と授受することができる。なお、ネットワーク２は、有線の通信ケーブルだけとは限らず無線でもよい。
【００１１】
以下、製造委託システムによる製造委託処理過程について実施例を図３〜１２を例に取り説明する。製造委託システムによる製造委託処理を行うにあたって、はじめに、ファブレス３とファブ４の連絡先をデータベース１８に登録する会員登録手段１１について説明する。登録内容を図３に示す。ファブレスの連絡先を登録するファブレス会員情報１８１と、ファブの連絡先を登録するファブレス会員情報１８１があり、会員ＩＤ、会社名、住所、担当者、パスワード、電話番号、メールアドレス、講座番号などの項目がある。ここで、会員ＩＤは、既存のファブレス３やファブ４の会員と重複しないように会員登録手段１１が自動発行する専用のコードであり、以後、製造委託システムを利用する際に相手を識別するためのものである。次にこの会員登録手段１１の画面について図４を用いて説明する。まず、ファブレス会員登録画面３１にてファブレスの連絡先などを入力する。登録ボタンにて、入力結果がファブレス会員情報１８１に登録され、同時に、会員ＩＤやパスワードなどの入会登録結果３２が、入力したメールアドレスに通知される。なお、通知手段は、手紙やＦＡＸなどでもよい。
【００１２】
続いて、登録済みファブレス３、ファブ４、製造委託システムのサーバ１との間で行われる情報交換について説明する。
【００１３】
最初に図５で、製造委託手続きに伴う処理手順を説明する。製造委託したいファブレス３が、会員登録手段１１にて得たファブレス会員ＩＤとパスワードを入力して、製造委託システムのサーバ１にログインする（１）。サーバ１ではファブレス会員ＩＤとパスワードを元に、ファブレス会員情報１８１を参照し、合否を決定する認証処理を行い（２）、認証結果をファブレス３に通知する（３）。ここで、ファブレス会員ＩＤやパスワードに誤りがあれば、認証不合格となり、ファブレス３は、次の手続き処理を行うことができない。認証結果が合格の場合、ファブレス３は、仕様登録手段１２を用いて製造委託したい製品の仕様を登録することができる（４）。ここでの主な登録内容を図６の製品仕様１８３に示す。製品名及び、その製品の構成部品名、数量、図面からなる。続いて、製品の製造仕様と製造過程で利用する治具／設備の仕様を登録する（５）。ここでの主な登録内容を図６の治具仕様１８４と製造仕様情報１８５に示す。治具仕様１８４では、治具名、治具のサイズ、消費電力からなる。製造仕様情報１８５では、製品名、作業順番、作業内容、標準作業時間、部品名、治具名からなる。製造仕様情報１８５の定義画面の一例を図７に示す。製造仕様情報定義画面５には、作業動画再生部５１と作業手順入力部５２からなる。作業動画再生部５１は、あらかじめ撮影した製品の製造方法を再生表示することができる。作業手順入力部５２は、作業内容を順番に入力する部分である。作業再生部５１にて製造方法を確認しながら入力することができる。入力した仕様は、サーバ１のデータベース１８に記憶される、仕様登録完了後、ファブレス３は、見積依頼登録手段１３を用いて見積依頼の入力を行うことができる（６）。入力内容は、図６の見積依頼情報１８６に示す通り、取得したい見積の製品名、数量、分割最小数量、納期、予算、入札期限、製品の納品先からなる。見積依頼ＩＤ、見積依頼者、タイムスタンプは、誤入力や不正入力をなくすため、見積依頼登録手段１３が自動で割付ける項目である。見積依頼ＩＤとは、他の見積依頼とを区別するためもので重複することがないコードである。見積依頼者の項目には、ログイン時に入力したファブレス会員ＩＤが登録される。見積依頼登録手段１３は、この見積依頼情報１８６をデータベース１８に登録すると同時に、ファブ会員情報１８２に登録されたファブ４に対して図６に示す見積依頼情報１８６の内容を通知する（７）。
【００１４】
次に、ファブ４は、製造方法出力手段１４を用いて製品の製造方法の閲覧と人員構成の変動による製造時間、作業難易度、製造費用に関する影響を評価するシミュレーションを実施し、適正な人員構成の製造ラインを構築する。具体的には、ファブ４は、閲覧したい案件の見積依頼ＩＤ及び、当該ファブ４のファブ会員ＩＤ、パスワード、作業者の人数を入力し、ログインする（８）。製造方法出力手段１４はファブ会員ＩＤとパスワードを元に、ファブ会員情報１８２を参照し、合否を決定する認証処理を行う（９）。ここで、ファブ会員ＩＤやパスワードに誤りがあれば、認証不合格となり、ファブ４は、次の手続き処理を行うことができない。認証結果が合格の場合、見積依頼を受けた製品に関する図６に示した製品仕様情報１８３、治具仕様情報１８４、製造仕様情報１８５の内容をファブ４に対して通知する（１０）。これにより、ファブ４は、製品の具体的な製造方法を知ることができる。続いて、ファブ４は、製造時間、作業難易度、製造費用をシミュレーション評価するため図８のファブ環境情報１４１に示す作業者の人数、時間単価からなる項目を入力する。ここで図８の見積依頼情報１８６に示す内容の見積依頼があったと想定した場合のシミュレーション内容について図８から図１１を用いて説明する。図８は、今回のシミュレーションにおける入力条件を表した図である。見積依頼情報１８１に示す内容の意味することは、製品名Ｘを１０台を予算３２５で７５時間以内で製造委託するための見積依頼があることを意味する。この製品Ｘを１台製造するための部品構成は、製品仕様情報１８３に示す通り、Ｘ１とＸ２からなり、その単価（予算）は１とし、製造方法は、製造仕様情報１８５に示す通り１から６までの作業工程であるとする。この委託要求をファブ環境情報１４１に示した作業者の人数が６で、時間単価１のファブが請け負う際のシミュレーション方法について図９と図１０を用いて説明する。図９は、シミュレーション方法のアルゴリズムをフローチャートにしたものである。図１０は、図８に示した入力条件で図９のアルゴリズムを実施した際の演算過程のデータを表した図（シミュレーション演算テーブル１４２）である。具体的には、見積依頼情報１８６に登録されている製品の製品仕様１８３、製造仕様情報１８５及びファブ環境情報１４１を読込む（ステップ１）。続いて、次に述べるステップ３とステップ４の処理を作業順番の最大値（本実施例では６回）の数だけ降順で繰り返す（ステップ２）。即ちファブ４の製造ラインを、６個ある作業を６個の工程として６人で流れ作業を行う製造ラインした場合、５個の工程に分割して５人の流れ作業の製造ラインした場合、最終的には、１個の工程として１人で作業する製造ラインとした場合を想定したシミュレーションをそれぞれ実施し、工程分割したことによる製造時間や製造費用などの影響評価を行う。なお、各工程分したことによるシミュレーション過程のデータは、図１０のＳ２に示した工程分割数の各列に対応する。ステップ２では、当該工程分割数の場合の製造時間、作業難易度、製造費用を算出する。算出結果を図１０のＳ３に示す。例えば、工程分割数が６個の際の製造時間ｙ５は９２、作業難易度ｙ１は６、費用ｙ７は４５６である。ステップ４では、工程毎の標準作業時間のバランスを保ちながら１工程減らす。具体的には、連続する２つの工程の和が最小となる箇所を１ヶ所抽出し、当該工程を１つに集約する。例えば、図１０の工程分割数を６から５にす場合は、丸印がついた作業順番１と２に該当する工程の標準作業時間の和が最小の６となるため、工程分割数を５にする場合は作業順番１と２をＳ４に示すように１つに集約する。ステップ５では、工程分割数が１になるまで繰り返し、終了する。製造方法出力手段１４は、シミュレーション結果をファブ４に通知する（１２）。図１１にシミュレーション結果１４３を示す。工程分割数毎に製造時間ｙ５、作業難易度ｙ１、費用ｙ７からなるシミュレーション結果と、要求された納期（残時間）、予算及び作業者レベルを比較表示する画面である。６人の作業者を６工程にて作業分担する製造ラインの場合から、１工程として全て一人で行う製造ラインを６個準備した場合までのシミュレーション結果を一眼で比較評価できる。なお、作業者の人数が工程数で割り切れない場合は、端数を切り捨てた人数としている。例えば、６人の作業者で、５工程の製造ラインを運用しようとした場合、１人余るため、人員を５人とした費用を算出している。予算と納期を満たす製造ラインの工程分割数は、１か２であることが分かる。仮に当該ファブの作業者レベルが２０とした場合、工程分割数２を選んだ方が良いことがわかる。これにより当該ファブが製造委託を請け負うことが可能か否かの妥当性を事前に評価できる。
【００１５】
シミュレーション完了後、ファブ４は、見積回答登録手段１５にて見積入力を行うことができる（１３）。入力内容は、図６の見積情報１８７に示す通り、回答する見積依頼ＩＤの請期、価格、見積回答者、数量からなる。見積ＩＤ、見積回答者、タイムスタンプは、誤入力や不正入力をなくすため、見積回答登録手段１５が自動で割付ける項目である。見積回答登録手段１５は、この見積回答情報１８７の内容をデータベース１８に登録すると同時に、見積依頼ＩＤに該当するファブレス３の連絡先をファブレス会員情報１８１から抽出し、当該ファブレス３に対して見積回答情報１８７の内容を通知する（１４）。ファブレス３は、契約登録手段１６を用いて製造委託先を決定し、登録することができる（１５）。図１２は、製造委託先を決定する契約登録画面３３であり、製造委託内容３３ａと見積回答一覧３３ｂの２種類に大別される。見積回答一覧３３ｂは、請期が早い順や価格順に並び替えることができる。本画面例は、製品Ｘを１０台（分割最小数：２台）を２月２７日までに製造委託する予定案件に、３ヶ所のファブから見積回答があった例である。なお分割最小数とは、注文数量を小分けしてもよい最小の数量を表す。見積ＩＤがｄｄｄのファブでは、１０台を一括委託できるが、価格が安い見積ＩＤがｂｂｂのファブとｃｃｃのファブの２ヶ所に委託するように契約の列に丸印を入力している。契約登録手段１６は、ここでの入力結果を元に図６の契約情報１８８に示す契約ＩＤ、見積ＩＤ、契約日の内容をデータベース１８に登録すると同時に、委託先のファブ４に委託契約確定のメッセージを通知する（１６）。ファブ４は、製品を出荷後、進捗状況登録手段１７を用いて出荷処理（出荷日の入力）をする（１７）。進捗状況登録手段１７は、契約情報１８８の出荷日の項目を更新後、ファブレス３に対して検収依頼のメッセージを通知する（１８）。ファブレス３は、検収後、進捗状況登録手段１７を用いて検収処理（検収日の入力）をする（１９）。進捗状況登録手段１７は、契約情報１８８の検収日の項目を更新後、ファブレス３とファブレス４に対して委託契約完了のメッセージを通知する（２０）。これにより、従来、安い価格で製造できるけれども量産できない小さなファブでもビジネスチャンスを広げることができ、かつ、ファブレスも価格が安いファブとの取引が可能となる。
【００１６】
進捗状況登録手段１７は、ファブレス３やファブ４からのクレーム情報を電子メールやＷＥＢなどで随時受け付け、結果をデータベース１８に随時記録する。これにより、クレームの多い会員や悪質な行為の通報があった会員を強制的に退会させることができる。
【００１７】
最後に図１３を用いて、本製造委託システムのビジネスフローの一例を説明する。製造委託システムのサーバ１は、ファブレス３とファブ４が会員登録する時に守秘契約を結ぶ。ただし、必須とは、限らない。ファブレス３とファブ４は、委託契約に必要となる業務取引データを入力する。サーバ１は、ファブレス３とファブ４に対して関連する常用提供のサービスを実施する。この情報提供料として、サーバ１は、ファブ４から課金する。課金の内訳は、定期的に定額料金を徴収する基本料金と契約成立時の取引価格に応じたサービス料である。これらのうち、いずれかが無料であってもよい。また、製造委託を請け負ったファブ４は、製品をファブレス３に対して納品する。その対価としてファブレス３は、ファブ４に対して代金を納める。また、課金方法として、予算より見積価格が下まわった場合、その差額の範囲内で、利益金額を設定できる。この利益金額は、見積価格に上乗せし、ファブレスに提示する。ファブレスから得た利益金額は、ファブ４とサーバ１で配分する。
【００１８】
【発明の効果】
本発明によれば、委託（受託）コストを抑制することができる。
【図面の簡単な説明】
【図１】製造委託システムのブロック図
【図２】製造委託システムの実施形態におけるハードウェア構成説明図
【図３】データベースにあらかじめ登録する主要な内容の説明図
【図４】ファブレス会員登録画面の説明図
【図５】製造委託サービスの取引処理手順の説明図
【図６】製造委託システムのサーバが扱うメッセージの主要な内容の説明図
【図７】製造仕様情報定義画面の一例を示す図
【図８】本実施形態におけるシミュレーションの入力条件の説明図
【図９】シミュレーション方法のアルゴリズムのフローチャート図
【図１０】本実施形態におけるシミュレーションを実施した際の演算過程のデータの説明図
【図１１】本実施形態におけるシミュレーション結果の説明図
【図１２】契約登録画面の一例を示す図
【図１３】本発明の製造委託システムのビジネスフローの一例を示す図
【符号の説明】
１・・・製造委託システム
２・・・ネットワーク
３・・・ファブレス
４・・・ファブ
５・・・製造仕様情報定義画面
１０・・・電子計算機
１１・・・会員登録手段
１２・・・仕様登録手段
１３・・・見積依頼登録手段
１４・・・製造方法出力手段
１５・・・見積回答登録手段
１６・・・契約登録手段
１７・・・進捗状況登録手段
１８・・・データベース
３０・・・電子計算機
３１・・・ファブレス会員登録画面
３２・・・入会登録結果
３３・・・契約登録画面
３３ａ・・・製造委託内容
３３ｂ・・・見積回答一覧
４０・・・電子計算機
５１・・・作業動画再生部
５２・・・作業手順入力部
１４１・・・ファブ環境情報
１４２・・・シミュレーション演算テーブル
１４３・・・シミュレーション結果
１８１・・・ファブレス会員情報
１８２・・・ファブ会員情報
１８３・・・製品仕様情報
１８４・・・治具仕様情報
１８５・・・製造仕様情報
１８６・・・見積依頼情報
１８７・・・見積情報
１８８・・・契約情報
【図１】
2004038818.tif 000003
【図２】
2004038818.tif 000004
【図３】
2004038818.tif 000005
【図４】
2004038818.tif 000006
【図５】
2004038818.tif 000007
【図６】
2004038818.tif 000008
【図７】
2004038818.tif 000009
【図８】
2004038818.tif 000010
【図９】
2004038818.tif 000011
【図１０】
2004038818.tif 000012
【図１１】
2004038818.tif 000013
【図１２】
2004038818.tif 000014
【図１３】
2004038818.tif 000015